(57)【要約】【課題】筐体の開閉状態によらず快適な通話を得ることが可能な携帯通信端末の提供。【解決手段】端末１は、第１の筐体、第２の筐体、ヒンジ機構、スピーカ１０、第１のマイク８、第２のマイク９、制御部１９、開閉検出回路２０、アナログゲイン調整部２６、及び音声信号処理部３０を備えている。ヒンジ機構は、第１の筐体と第２の筐体とを回転自在に連結する。第１及び第２のマイク８，９は、第１の筐体に設けられ、スピーカ１０は、第２の筐体に設けられている。開閉検出回路２０は、第１の筐体と第２の筐体との相対回転位置を検出して、その検出信号を出力する。アナログゲイン調整部２６と音声信号処理部３０とは、制御部１９からの制御に従って、第１のマイク８又は第２のマイク９が出力する送話用の音声信号を、開閉検出回路２０からの検出信号に応じて加工する。【選択図】  図４
2004228920.tif 000002
【特許請求の範囲】
【請求項１】
第１の筐体と、
第２の筐体と、
前記第１の筐体と前記第２の筐体とを回転自在に連結する連結手段と、
前記第１の筐体に設けられた拾音手段と、
前記第２の筐体に設けられた拡声手段と、
前記第１の筐体と前記第２の筐体との相対回転位置を検出する検出手段と、
前記拾音手段が出力する送話用の音声信号を、前記検出手段からの検出信号に応じて加工する音声信号処理手段と、
を備えたことを特徴とする携帯通信端末。
【請求項２】
請求項１記載の携帯通信端末であって、
前記音声信号処理手段は、所定の処理関数に従って前記音声信号を加工すると共に、前記処理関数のパラメータの値を前記検出信号に応じて設定することを特徴とする携帯通信端末。
【請求項３】
請求項２記載の携帯通信端末であって、
前記音声信号処理手段は、前記パラメータの値が予め設定された複数のテーブルを有し、前記検出信号に応じて使用するテーブルを切り換えることを特徴とする携帯通信端末。
【請求項４】
請求項１〜請求項３の何れかに記載の携帯通信端末であって、
前記連結手段は、前記第１の筐体と前記第２の筐体とが重なり合う閉状態と、前記第１の筐体と前記第２の筐体とが前記閉状態から相互にスライド移動した開状態とに設定可能に、前記第１の筐体と前記第２の筐体とを回転自在に連結するヒンジ機構であることを特徴とする携帯通信端末。
【請求項５】
請求項１〜請求項４の何れかに記載の携帯通信端末であって、
前記拾音手段は、互いに相違する位置に配置された複数の拾音部と、前記検出信号に応じて前記拾音部が出力する送話用の音声信号の１つを前記音声信号処理手段へ入力するスイッチ部と、を有することを特徴とする携帯通信端末。
【発明の詳細な説明】
【０００１】
【発明の属する技術分野】
本発明は、２つの筐体が相互に回転自在に連結された携帯通信端末に関する。
【０００２】
【従来の技術】
特許文献１は、携帯通信端末の一例である携帯電話機を開示している。この携帯電話機では、２つの筐体が開閉自在に連結され、非使用時には閉状態で携帯される。そして、着信時や発信時には、ユーザは、筐体を開いて開状態とし、一方の筐体に設けられたスピーカを耳に当て、係る状態で他方の筐体に設けられたマイクを口元に近づけて通話を行う。
【０００３】
【特許文献１】
特開平７−２８８８６０号公報
【０００４】
【発明が解決しようとする課題】
ここで、開閉自在な携帯電話機において、閉状態においても通話できればその利便性が向上する。
【０００５】
しかし、開状態と閉状態とでは、２つの筐体の相対位置が異なるため、一方及び他方の筐体にそれぞれに配置されたスピーカとマイクとの相対位置も異なる。この結果、スピーカを耳に当てた際のマイクと口元との距離は、閉状態の方が開状態に比べて離れてしまい、マイクによる拾音状態も閉状態の方が低下し易い。また、他方の筐体におけるマイクの位置によっては、閉状態においてマイクが一方の筐体によって覆われてしまう場合もある。
【０００６】
このため、閉状態では、受信側のユーザが音声を聞き取り難くなり、快適な通話状態が得られない可能性があった。
【０００７】
本発明は、このような課題に鑑みてなされたものであり、筐体の開閉状態によらず快適な通話を得ることが可能な携帯通信端末を提供することを目的とする。
【０００８】
【課題を解決するための手段】
本発明に係る携帯通信端末は、第１の筐体と、第２の筐体と、連結手段と、拡声手段と、拾音手段と、検出手段と、音声信号処理手段と、を備えている。
【０００９】
連結手段は、第１の筐体と第２の筐体とを回転自在に連結する。拾音手段は、例えばマイクで構成され、第１の筐体に設けられている。拡声手段は、例えばスピーカで構成され、第２の筐体に設けられている。検出手段は、第１の筐体と第２の筐体との相対回転位置を検出して、その検出信号を出力する。音声信号処理手段は、拾音手段が出力する送話用の音声信号を、検出手段からの検出信号に応じて加工する。
【００１０】
上記構成において、携帯通信端末を電話機として機能させて通話を行う場合、検出手段は、第１の筐体と第２の筐体との相対回転位置を検出して、その検出信号を出力し、音声信号処理手段は、拾音手段が出力する送話用の音声信号を、検出手段からの検出信号に応じて加工する。すなわち、第１の筐体と第２の筐体との相対回転位置が相違し、拾音手段による拾音状態が異なった場合であっても、これに応じて音声信号処理手段が送話用の音声信号を的確に加工する。
【００１１】
従って、第１の筐体と第２の筐体との相対回転位置によらず、受信側のユーザは音声を良好に聞き取ることができ、快適な通話状態を得ることができる。
【００１２】
音声信号処理手段は、所定の処理関数に従って音声信号を加工すると共に、処理関数のパラメータの値を検出信号に応じて設定しても良い。
【００１３】
上記構成では、処理関数のパラメータの値を検出信号に応じて設定するという簡単な処理により、第１の筐体と第２の筐体との相対回転位置によらず、受信側のユーザとの間で快適な通話状態を得ることができる。
【００１４】
音声信号処理手段は、パラメータの値が予め設定された複数のテーブルを有し、検出信号に応じて使用するテーブルを切り換えても良い。
【００１５】
上記構成では、テーブルを切り換えるというさらに簡単な処理により、第１の筐体と第２の筐体との相対回転位置によらず、受信側のユーザとの間で快適な通話状態を得ることができる。
【００１６】
連結手段は、第１の筐体と前記第２の筐体とが重なり合う閉状態と、第１の筐体と第２の筐体とが閉状態から相互にスライド移動した開状態とに設定可能に、第１の筐体と第２の筐体とを回転自在に連結するヒンジ機構であっても良い。
【００１７】
上記構成のように第１の筐体と第２の筐体とが相互にスライド回転自在に連結されたタイプの携帯通信端末に対しても、本発明を良好に適用することができる。
【００１８】
拾音手段は、互いに相違する位置に配置された複数の拾音部と、検出信号に応じて拾音部が出力する送話用の音声信号の１つを音声信号処理手段へ入力するスイッチ部と、を有しても良い。
【００１９】
上記構成では、例えば、第１の筐体と第２の筐体とが、相互に重なり合う閉状態と、閉状態から相対移動した開状態とに設定可能な場合、２つの拾音部（例えばマイク）を、開状態で最適な位置と閉状態で最適な位置とにそれぞれ配置することができ、受信側のユーザとの間でさらに快適な通話状態を得ることができる。
【００２０】
【発明の実施の形態】
以下、本発明の実施形態について、図面を参照しながら詳細に説明する。
【００２１】
本実施形態に係る携帯電話機（携帯通信端末、以下端末と略称する）１は、いわゆるジャックナイフ型であり、図１から図３に示すように、第１の筐体２と、第２の筐体３と、液晶画面で構成された表示部４と、操作キーで構成された複数の操作部５，６と、ヒンジ機構７と、第１のマイク８と、第２のマイク９と、スピーカ１０と、を備えている。第１の筐体２と第２の筐体３とは、略矩形板形状でほぼ等しい大きさを有している。
【００２２】
表示部４は、第２の筐体３の表面上に配置されている。操作部５，６は、第１の筐体２及び第２の筐体３上に、それぞれ配置されている。各操作部５，６には、それぞれ所定の機能が割り当てられており、発信操作や着信操作やメールの作成などの際に、使用者からの入力手段として用いられる。
【００２３】
ヒンジ機構７は、第１の筐体２の一端部と第２の筐体３の一端部とを、閉状態と開状態とに設定可能なように回転自在に連結する。図２に示す閉状態では、第２の筐体３が操作部６を覆った状態で第１の筐体２と第２の筐体３とが重なり、第２の筐体３の裏面が第１の筐体２の表面の直ぐ上方を完全に覆う。図３に示す開状態では、第２の筐体３と第１の筐体２とが閉状態から相互にスライド移動して略１８０°回転した状態となる。第２の筐体３の表示部４及び操作部６は、開状態及び閉状態の何れであっても常に露出している。
【００２４】
端末１は、開状態及び閉状態の双方において、発着信による通話が可能に構成され、スピーカ１０は、第２の筐体３の表面の他端部（ヒンジ機構７と反対側）に配置されている。
【００２５】
第１のマイク８は、ユーザが端末１を開状態としてスピーカ１０を耳に当てた際に、ユーザの口元に近くなるように、開状態用として第１の筐体２の表面の他端部（ヒンジ機構７と反対側）に配置されている。第２のマイク９は、ユーザが端末１を閉状態としてスピーカ１０を耳に当てた際に、ユーザの口元に可能な限り近くなり、且つ第２の筐体３に完全に覆われないように、閉状態用として第１の筐体２の一端部（ヒンジ機構７と同じ側）の側部に配置されている。
【００２６】
第１の筐体２と第２の筐体３とには、それぞれＭＲセンサ（磁気センサ）１１と磁石１２とが内蔵されている。両者は、端末１が閉状態のときに重なり合う位置に配置され、ＭＲセンサ１１は、端末１が閉状態か否かを検出する。
【００２７】
図１の端末１は、図４のブロック図に示す内部構成を有している。すなわち、端末１は、アンテナ１３、デュプレクサ（Ｄｕｐｌｅｘｅｒ）１４、受信部（ＲＸ）１５、送信部（ＴＸ）１６、ＤＳＰ（Ｄｉｇｉｔａｌ  Ｓｉｇｎａｌ  Ｐｒｏｃｅｓｓｏｒ）１７、アナログベースバンド部１８、制御部（ＣＰＵ）１９、開閉検出回路２０、及びＲＡＭ（Ｒａｎｄｏｍ  Ａｃｃｅｓｓ  Ｍｅｍｏｒｙ）２１、ＲＯＭ（Ｒｅａｄ  Ｏｎｌｙ  Ｍｅｍｏｒｙ）２２を備えている。
【００２８】
開閉検出回路２０は、ＭＲセンサ１１からの信号入力を受けて、端末１が閉状態か否かの検出信号を制御部１９へ出力する。
【００２９】
デュプレクサ１４は、アンテナ１３と受信部１５及び送信部１６とに接続され、アンテナ１３からの受信電波を受信部１５へ送り、送信部１６からの送信信号をアンテナ１３へ送出する。
【００３０】
受信部１５は、デュプレクサ１４とＤＳＰ１７とに接続され、デュプレクサ１４からの受信信号を復調してＤＳＰ１７へ送る。送信部１６は、デュプレクサ１４とＤＳＰ１７とに接続され、ＤＳＰ１７からの送信信号を復調してデュプレクサ１４へ送る。
【００３１】
ＤＳＰ１７は、受信部１５、送信部１６、アナログベースバンド部１８、及び制御部１９と接続されている。ＤＳＰ１７は、音声信号処理部３０を備え、音声信号処理部３０は、音声コーディック、送・受話ＥＱ（イコライザ）、エコーキャンセラ、送・受話ノイズレデューサ、及びＶＯＸ（Ｖｏｉｃｅ  Ｏｐｅｒａｔｅｄ  Ｔｒｕｎｓｍｉｔｔｅｒ）処理部で構成されている。音声信号処理部３０の各構成要素は、制御部１９の制御により、所定の処理関数に従って、音声信号の加工・処理を行う。
【００３２】
アナログベースバンド部１８は、第１のマイク８、第２のマイク９、スピーカ１０、ＤＳＰ１７、及び制御部１９と接続されている。アナログベースバンド部１８は、受話側のアナログゲイン調整部２３、Ｄ／Ａ変換器２４、デジタルゲイン調整部２５と、送話側のアナログゲイン調整部２６、Ａ／Ｄ変換器２７、デジタルゲイン調整部２８と、スイッチ部２９と、を有する。アナログゲイン調整部２３，２６とデジタルゲイン調整部２５，２８は、制御部１９の制御により、所定の処理関数に従って、音声信号に所定の加工・処理を行う。
【００３３】
制御部１９は、ＤＳＰ１７、アナログベースバンド部１８、開閉検出回路２０、ＲＡＭ２１、及びＲＯＭ２２と接続され、ＲＯＭ１２やＲＡＭ２１に存在する制御プログラムに従って、接続している各構成要素の制御を行う。
【００３４】
ＤＳＰ１７には、キャビ開き用通話パラメータテーブル３１とキャビ閉じ用通話パラメータテーブル３２とが設定されている。同様に、ＲＡＭ２１にも、キャビ開き用通話パラメータテーブル３３とキャビ閉じ用通話パラメータテーブル３４とが設定されている。ＤＳＰ１７及びＲＡＭ２１におけるキャビ開き用通話パラメータテーブル３１，３３とキャビ閉じ用通話パラメータテーブル３２，３４との切り換えは、開閉検出回路２０からの検出信号に応じて、制御部１９が行う。
【００３５】
受話時には、アンテナ１３からの受信信号がデュプレクサ１４及び受信部１５を介して、受話用の音声信号としてＤＳＰ１７に入力され、音声信号処理部３０によって加工・処理されて、アナログベースバンド部１８へ入力される。アナログベースバンド部１８では、受話用の音声信号は、デジタルゲイン調整部２５からＤ／Ａ変換器２４を介してアナログゲイン調整部２３へ送られ、スピーカ１０へ送出される。デジタルゲイン調整部２５及びアナログゲイン調整部２３は、制御部１９の制御に従って、受話用の音声信号に所定の加工・処理を行う。
【００３６】
送話時には、第１のマイク８及び第２のマイク９から送話用の音声信号が送出され、アナログベースバンド部１８のスイッチ部２９に入力される。スイッチ部２９は、制御部１９の制御に従い、開閉検出回路２０からの検出信号に基づいて、第１及び第２のマイク８，９からの音声信号のうち一方をアナログゲイン調整部２６に入力する。アナログゲイン調整部２６に入力された音声信号は、Ａ／Ｄ変換器２７を介してデジタルゲイン調整部２８へ送られ、ＤＳＰ１７へ送出される。デジタルゲイン調整部２５及びアナログゲイン調整部２３は、制御部１９の制御に従って、送話用の音声信号に所定の加工・処理を行う。ＤＳＰ１７では、音声信号処理部３０が、制御部１９の制御に従って、送話用の音声信号に所定の加工・処理を行う。そして、送信部１６及びデュプレクサ１４を介して、アンテナ１３へ送出される。
【００３７】
端末１は、開状態（図３に示す）及び閉状態（図２に示す）の双方において、発着信による通話が可能に構成されており、制御部１９は、端末１の開閉状態に応じて、スイッチ部２９を切り換える。具体的には、開閉検出回路２０からの検出信号により端末１が閉状態ではない（開状態を含む）と判断されるときは第１のマイク８からの音声信号を、端末１が閉状態と判断されるときは第２のマイク９からの音声信号を、それぞれアナログゲイン調整部２６へ入力する。すなわち、開状態用の第１のマイク８と閉状態用の第２のマイク９とが開閉状態に応じて切り換えられて使用されるので、各状態においてマイク８，９の性能を最大限に発揮させることができる。
【００３８】
また、制御部１９は、アナログゲイン調整部２６及び音声信号処理部３０において所定の処理関数に従って音声信号を加工すると共に、端末１の開閉状態に応じて、その処理関数のパラメータの値を変更する。具体的には、開状態用と閉状態用の２種類のパラメータテーブル（キャビ開き用パラメータテーブル３１，３３とキャビ閉じ用パラメータテーブル３２，３４）を設け、キャビ開き用パラメータテーブル３１，３３には開状態で使用するパラメータの値を、キャビ閉じ用パラメータテーブル３２，３４には閉状態で使用するパラメータの値をそれぞれ予め設定する。そして、開閉検出回路２０からの検出信号により端末１が閉状態ではない（開状態を含む）と判断されたときはキャビ開き用パラメータテーブル３１，３３を、端末１が閉状態と判断されたときはキャビ閉じ用パラメータテーブル３２，３４をそれぞれ使用する。ＤＳＰ１７のパラメータテーブル３１，３２には、送話ＥＱ、エコーキャンセラ、及び送話ノイズレデューサにおける処理関数のパラメータの値がそれぞれ設定され、ＲＡＭ２１のパラメータテーブル３３，３４には、送話用のアナログゲイン調整部２６における処理関数のパラメータの値がそれぞれ設定されている。ＤＳＰ１７のパラメータテーブル３１，３２に設定されたパラメータの値は、ＤＳＰ１７内で直接音声信号処理部３０に入力される。ＲＡＭ２１のパラメータテーブル３３，３４に設定されたパラメータの値は、制御部１９を通ってアナログベースバンド部１８のアナログゲイン調整部２６に入力される。
【００３９】
次に、図５（ａ）及び（ｂ）に基づいて、各パラメータテーブル３１，３２，３３，３４に設定されるパラメータの値について説明する。
【００４０】
開状態用（キャビ開き用）のパラメータの値と閉状態用（キャビ閉じ用）のパラメータの値とは、基本的に相違するように設定されており、特にアナログゲイン調整部２６、エコーキャンセラ、及び送話ノイズレデューサに対するパラメータの値は、以下の関係が成立するように設定されている。アナログゲイン調整部２６に対するパラメータの値は、開状態よりも閉状態の方がアナログゲインが大きくなるように設定されている。エコーキャンセラに対するパラメータの値は、開状態よりも閉状態の方がエコーキャンセル量が大きくなるように設定されている。送話ノイズレデューサに対するパラメータの値は、開状態よりも閉状態の方がノイズ抑制量が大きくなるように設定されている。なお、送話ＥＱに対するに対するパラメータの値には、上述のような関係は成立せず、異なる値（ＡとＢ）が設定されている。なお、これらのパラメータの中で音声信号に与える影響力は、アナログゲイン調整部２６に対するパラメータの値の変更が最も大きく、次いでエコーキャンセラ、送話ノイズレデューサ、送話ＥＱの順にその影響力が小さくなる。
【００４１】
このように、端末１の開閉状態に応じて、送話用の音声信号を加工する際の処理関数のパラメータの値を変更しているので、開状態及び閉状態の双方において、それぞれ音声信号が適切に加工・処理され、より好ましい音響特性を有する音声信号として出力される。
【００４２】
なお、上述のように、パラメータテーブル３１，３２，３３，３４をＲＡＭ２１だけでなくＤＳＰ１７にも配置したのは、制御部１９による迅速な切り換えを確保してより快適な通話を保証するためである。例えば、ＲＡＭ２１のパラメータテーブル３３，３４にＤＳＰ１７で使用するパラメータの値が設定されていると、制御部１９からＤＳＰ１７へ伝達される情報量が増大する。そして、制御部１９とＤＳＰ１７との間の配線が、制御部１９とアナログベースバンド部１８との間の配線に比して細かく設定されている場合には、その構造上の理由から、制御部１９とＤＳＰ１７との間での情報の伝達速度が遅延し、ＤＳＰ１７におけるパラメータの値の切り換えが迅速に行われない可能性が生じる。これに対し、ＤＳＰ１７にパラメータテーブル３１，３２を設定しておけは、制御部１９からＤＳＰ１７へ伝達される情報はパラメータテーブル３１，３２の切り換え命令信号だけで済み、その情報量は小さく抑えられる。従って、制御部１９による迅速な切り換えが確保されて、快適な通話が保証される。
【００４３】
図６に示すフローチャートを参照して、本実施形態の作用を説明する。
【００４４】
図６に示す制御は、端末１をＯＮ状態とし、着呼（着信）もしくは発呼（発信）により音声通話を開始することによってスタートし、ステップＳ１へ進む。
【００４５】
ステップＳ１では、回路検出手段２０からの検出信号に基づいて、制御部１９が端末１の開閉状態を識別し、端末１が閉状態であると識別した場合にはステップＳ２へ進み、反対に開状態である（閉状態ではない）と識別した場合にはステップＳ３へ進む。
【００４６】
ステップＳ２では、制御部１９が、キャビ閉じ用パラメータテーブル３２，３４の各パラメータの値を、送話ＥＱ、エコーキャンセラ、送話ノイズレデューサ、及びアナログゲイン調整部２６の各処理関数に設定し、送話用の音声信号の加工・処理を開始し、音声通話が開始される。
【００４７】
一方、ステップＳ３では、制御部１９が、キャビ開き用パラメータテーブル３１，３３の各パラメータの値を、送話ＥＱ、エコーキャンセラ、送話ノイズレデューサ、及びアナログゲイン調整部２６の各処理関数に設定し、送話用の音声信号の加工・処理を開始し、音声通話が開始される。
【００４８】
ステップＳ２及びステップＳ３において音声通話が開始されると、ステップＳ４へ進む。ステップＳ４では、回路検出手段２０からの検出信号に基づいて、制御部１９が端末１の開閉状態の変化を逐次検出する。具体的には、ステップＳ１と同様に、回路検出手段２０からの検出信号に基づいて、制御部１９が端末１の開閉状態を識別し、端末１が閉状態であると識別した場合にはステップＳ５へ進み、反対に開状態である（閉状態ではない）と識別した場合にはステップＳ６へ進む。
【００４９】
ステップＳ５では、ステップＳ２同様に、制御部１９が、キャビ閉じ用パラメータテーブル３２，３４の各パラメータの値を、送話ＥＱ、エコーキャンセラ、送話ノイズレデューサ、及びアナログゲイン調整部２６の各処理関数に設定し、送話用の音声信号の加工・処理を行い、音声通話を継続する。一方、ステップＳ６では、ステップＳ３同様に、制御部１９が、キャビ開き用パラメータテーブル３１，３３の各パラメータの値を、送話ＥＱ、エコーキャンセラ、送話ノイズレデューサ、及びアナログゲイン調整部２６の各処理関数に設定し、送話用の音声信号の加工・処理を行い、音声通話を継続する。すなわち、端末１の開閉状態が変更されていない場合には、同じパラメータの値で加工・処理を継続し、開閉状態が変更されている場合には、変更後の状態に対応するパラメータの値に書き換えて加工・処理を継続する。
【００５０】
ステップＳ５及びステップＳ６において音声通話が継続されると、ステップＳ７へ進み、制御部１９が通話中か否かを判断する。通話中の場合には、ステップＳ４へ戻り、ステップＳ７までの制御を繰り返す。これにより、通話中に端末１の開閉状態が変更された場合であっても、音声信号に対して変更後の状態に応じた適切な加工・処理が行われる。
【００５１】
ステップＳ７において、制御部１９が通話中ではないと判断したときは、終話となり、本制御を終了する。
【００５２】
なお、上記各ステップの処理ではその説明を省略したが、上記ステップ２及びステップ５では、第２のマイク９からアナログゲイン調整部２６へ音声信号が入力されるように、制御部１９がスイッチ部２９を設定する。また、ステップ３及びステップ６では、第１のマイク８からアナログゲイン調整部２６へ音声信号が入力されるように、制御部１９がスイッチ部２９を設定する。
【００５３】
このように、本実施形態によれば、端末１の開閉状態に応じて、送話用の音声信号を加工する際の処理関数のパラメータの値を変更しているので、開状態及び閉状態の双方において、それぞれ音声信号が適切に加工・処理され、より好ましい音響特性を有する音声信号として出力される。従って、端末１の開閉状態によらず、受信側のユーザは音声を良好に聞き取ることができ、快適な通話状態を得ることができる。
【００５４】
また、端末１の開閉状態に応じて、音声信号を加工する際の処理関数のパラメータの値を設定するという簡単な処理により、端末１の開閉状態によらず、受信側のユーザとの間で快適な通話状態を得ることができる。
【００５５】
加えて、開状態用と閉状態用の２つのパラメータテーブル３１，３２，３３，３４を設け、それらを端末１の開閉状態に応じて切り換えるというさらに簡単な処理により、端末１の開閉状態によらず、受信側のユーザとの間で快適な通話状態を得ることができる。
【００５６】
なお、上記実施形態では、送話ＥＱ、エコーキャンセラ、及び送話ノイズレデューサ、送話用のアナログゲイン調整部２６のそれぞれに対するパラメータの値を変更したが、他のパラメータ（例えば、送話側のデジタルゲイン調整部２８に対するパラメータやＶＯＸ処理に関するパラメータなど）の値を変更しても良く、パラメータテーブル３１，３２，３３，３４の設定場所もＲＡＭ２１やＤＳＰ１７に限定されない。
【００５７】
開状態と閉状態のために２つのマイク８，９を設けたが、両者を共通化させて１つのマイクとしても良い。この場合、図１〜図３に二点鎖線で示すように、マイク３５の配置場所を第１の筐体２の中間部分の側面に設定することが好ましい。
【００５８】
第１の筐体２と第２の筐体３との相対回転位置の検出方法は、ＭＲセンサ１１に限定されず、いかなる方法であっても良い。
【００５９】
２つの筐体が回転自在に連結された携帯通信端末であれば、その回転方向や連結方法等は問わず（例えば、いわゆる折り畳みタイプの携帯電話機であっても）、本発明を適用することができる。
【００６０】
さらに、音声通信機能を持つＰＤＡ（Ｐｅｒｓｏｎａｌ  Ｄｉｇｉｔａｌ  Ａｓｓｉｓｔａｎｔ）のような携帯電話機以外の携帯通信端末であっても、本発明を適用することができる。
【００６１】
【発明の効果】
本発明によれば、第１の筐体と第２の筐体との相対回転位置によらず、受信側のユーザは音声を良好に聞き取ることができ、快適な通話状態を得ることができる。
【図面の簡単な説明】
【図１】本実施形態の端末の平面図である。
【図２】図１の端末の閉状態を示す図であり、（ａ）は側面図、（ｂ）は正面図である。
【図３】図１の端末の開状態を示す図であり、（ａ）は正面図、（ｂ）は側面図である。
【図４】図１の端末のブロック図である。
【図５】パラメータテーブルを示す模式図であり、（ａ）は開状態用を示し、（ｂ）は閉状態用を示している。
【図６】本実施形態の制御を示すフローチャートである。
【符号の説明】
１…端末（携帯電話機、携帯通信端末）
２…第１の筐体
３…第２の筐体
７…ヒンジ機構（連結手段）
８…第１のマイク（第１の拾音部、拾音手段）
９…第２のマイク（第２の拾音部、拾音手段）
１０…スピーカ（拡声手段）
１１…ＭＲセンサ（検出手段）
１２…磁石（検出手段）
１７…ＤＳＰ（音声信号処理手段）
１８…アナログベースバンド部（音声信号処理手段）
１９…制御部（音声信号処理手段）
２０…開閉検出回路（検出手段）
２６…送話側アナログゲイン調整部（音声信号処理手段）
３０…音声信号処理部（音声信号処理手段）
３１…キャビ開き用通話パラメータテーブル
３２…キャビ閉じ用通話パラメータテーブル
３３…キャビ開き用通話パラメータテーブル
３４…キャビ閉じ用通話パラメータテーブル
【図１】
2004228920.tif 000003
【図２】
2004228920.tif 000004
【図３】
2004228920.tif 000005
【図４】
2004228920.tif 000006
【図５】
2004228920.tif 000007
【図６】
2004228920.tif 000008